(57)【特許請求の範囲】
【請求項１】
建物の屋根面に、平板状屋根葺材が前記屋根面との間に空気流通層を介在させた状態で設けられ、
前記空気流通層に、１階の床下まで延在する空気流通路が接続され、
前記床下にコンクリートスラブが打設され、このコンクリートスラブの周縁部に断熱層が設けられ、
前記コンクリートスラブ上の前記床下に、床下配管が前記空気流通路に接続されて設けられ、
この床下配管に、当該床下配管内を流通する空気を上向きに吹出す上向吹出孔と下向きに吹出す下向吹出孔とがそれぞれ複数形成され、
複数の前記下向吹出孔の合計流路断面積が、複数の前記上向吹出孔の合計流路断面積より大きいことを特徴とする床下暖房システム。
【請求項２】
請求項１に記載の床下暖房システムにおいて、
前記下向吹出孔と前記上向吹出孔の流路断面積は等しくなっており、
前記床下配管の周壁の下半分に複数の前記下向吹出孔が形成され、
前記床下配管の周壁の上半分に複数の前記上向吹出孔が、前記下向吹出孔の数より少なく形成されていることを特徴とする床下暖房システム。
【請求項３】
請求項２に記載の床下暖房システムにおいて、
前記床下配管が円筒状に形成され、
前記下向吹出孔は、前記床下配管の周壁の下半分に周方向に一定間隔で、かつ、前記床下配管の軸方向に一定間隔で形成され、
前記上向吹出孔は、前記床下配管の周壁の上半分に周方向に一定間隔で、かつ、前記床下配管の軸方向に一定間隔で形成されていることを特徴とする床下暖房システム。
【請求項４】
請求項３に記載の床下暖房システムにおいて、
前記床下配管に、その軸方向に等ピッチの位置における第１横断面において、前記床下配管の周壁の最下部に前記下向吹出孔が形成され、この下向吹出孔から周方向両側の１２０度の位置にそれぞれ前記上向吹出孔が形成されるとともに、
隣り合う前記第１横断面間の中央に位置する第２横断面において、前記床下配管の最下部から周方向両側の６０度の位置にそれぞれ前記下向吹出孔が形成されていることを特徴とする床下暖房システム。
【請求項５】
請求項１〜４のいずれか一項に記載の床下暖房システムにおいて、
前記床下配管は、１階のリビングダイニングの床下に設けられていることを特徴とする床下暖房システム。
【発明の詳細な説明】
【技術分野】
【０００１】
本発明は、床下暖房システムに関する。
【背景技術】
【０００２】
太陽光によって加熱された空気（暖気）を利用した床下暖房システムの一例として特許文献１に記載ものが知られている。
この床下暖房システムは以下のような構成となっている。
すなわちまず、建物の屋根面に、太陽電池モジュールが前記屋根面との間に空気流通層を介在させた状態で設けられ、この空気流通層に、１階の床下まで延在する空気流通路が接続されている。
また、床下の地盤上には防湿土間コンクリートが打設されており、基礎の立上部の床下側を向く側面には断熱材が設けられている。防湿土間コンクリートの表面には、川砂を所定の厚さで敷き詰められてなる蓄熱手段が設けられており、この蓄熱手段に前記空気流通路を構成するダクトが接続されている。すなわち、ダクトの下端部は略水平に配置されたうえで、蓄熱手段内に埋設されており、蓄熱手段内に埋設されたダクトの外周部に、軸方向に所定間隔で吹出口が形成されている。そして、この吹出口から暖気を吹き出し、蓄熱手段に暖気の熱を蓄熱し、蓄熱手段に蓄熱された熱を１階床の部屋の床暖房に利用する。
【先行技術文献】
【特許文献】
【０００３】
【特許文献１】特開２０１１−２１２９号公報
【発明の概要】
【発明が解決しようとする課題】
【０００４】
ところで、前記従来の床下暖房システムでは、蓄熱手段として、土間コンクリートの表面に所定厚さで敷き詰められた川砂を使用し、この川砂内に埋設されたダクトの外周部に形成された吹出口から川砂中に暖気を吹出しているので、吹出した暖気によって直接、床下１７や床の下面を暖めることができず、このため、床下１７の温度上昇速度が遅くなって、床暖房の効きが遅いという問題があった。
【０００５】
本発明は上記事情に鑑みてなされたもので、熱を十分に蓄熱でき、かつ、床下を素早く暖めることができる床下暖房システムを提供することを課題としている。
【課題を解決するための手段】
【０００６】
上記課題を解決するために、請求項１に記載の発明は、例えば図１〜図７に示すように、床下暖房システムであって、建物１の屋根面４ａに、平板状屋根葺材としての太陽電池モジュール５が前記屋根面４ａとの間に空気流通層Ｓを介在させた状態で設けられ、
前記空気流通層Ｓに、１階の床下１７まで延在する空気流通路１０が接続され、
前記床下１７にコンクリートスラブ２０が打設され、このコンクリートスラブ２０の周縁部に断熱層２２が設けられ、
前記コンクリートスラブ２０上の前記床下１７に、床下配管２５が前記空気流通路１０に接続されて設けられ、
この床下配管２５に、当該床下配管２５内を流通する空気を上向きに吹出す上向吹出孔３０ａと下向きに吹出す下向吹出孔３０ｂとがそれぞれ複数形成され、
複数の前記下向吹出孔３０ｂの合計流路断面積が、複数の前記上向吹出孔３０ａの合計流路断面積より大きいことを特徴とする。
【０００７】
請求項１に記載の発明によれば、コンクリートスラブ２０上の床下１７に設けられた床下配管２５に、上向吹出孔３０ａと下向吹出孔３０ｂとがそれぞれ複数形成され、複数の下向吹出孔３０ｂの合計流路断面積が、複数の上向吹出孔３０ａの合計流路断面積より大きいので、下向吹出孔３０ｂから吹出された暖気による熱を蓄熱容量の大きいコンクリートスラブ２０に十分に蓄熱できる。
また、上向吹出孔３０ａから吹出される暖気によって床下１７や床１６の下面を直接暖めることができるので、床下１７および床１６の温度上昇速度が速くなって、床暖房の効きが速くなる。
【０００８】
請求項２に記載の発明は、請求項１に記載の床下暖房システムにおいて、
前記下向吹出孔３０ｂと前記上向吹出孔３０ａの流路断面積は等しくなっており、
前記床下配管２５の周壁の下半分に複数の前記下向吹出孔３０ｂが形成され、
前記床下配管２５の周壁の上半分に複数の前記上向吹出孔３０ａが、前記下向吹出孔３０ｂの数より少なく形成されていることを特徴とする。
【０００９】
床下配管２５の周壁の下半分に複数の下向吹出孔３０ｂを形成する場合、これら下向吹出孔３０ｂを床下配管２５の周壁の下半分に均一に配置するのが望ましい。
床下配管２５の周壁の上半分に複数の上向吹出孔３０ａを形成する場合、これら上向吹出孔３０ａを床下配管２５の周壁の上半分に均一に配置するのが望ましい。
【００１０】
請求項２に記載の発明によれば、床下配管２５の周壁の下半分に複数の下向吹出孔３０ｂが形成されているので、これら下向吹出孔３０ｂからコンクリートスラブ２０に向けて確実に暖気を吹き出すことができる。また、床下配管２５の周壁の上半分に複数の上向吹出孔３０ａが形成されているので、これら上向吹出孔３０ａから床下１７や床１６の下面に向けて確実に暖気を吹出すことができる。
また、コンクリートスラブに向けての暖気の吹出し量を、床下１７や床１６の下面に向けての暖気の吹出し量より多くすることが容易である。
【００１１】
請求項３に記載の発明は、請求項２に記載の床下暖房システムにおいて、
前記床下配管２５が円筒状に形成され、
前記下向吹出孔３０ｂは、前記床下配管２５の周壁の下半分に周方向に一定間隔で、かつ、前記床下配管２５の軸方向に一定間隔で形成され、
前記上向吹出孔３０ａは、前記床下配管２５の周壁の上半分に周方向に一定間隔で、かつ、前記床下配管２５の軸方向に一定間隔で形成されていることを特徴とする。
【００１２】
周方向に隣り合う下向吹出孔３０ｂ，３０ｂの間隔は、周方向に隣り合う上向吹出孔３０ａ，３０ａの間隔より小さいのが望ましいが、これに限ることはなく、等しくてもよい。また、床下配管２５の軸方向に隣り合う下向吹出孔３０ｂ，３０ｂの間隔は、同軸方向に隣り合う上向吹出孔３０ａ，３０ａの間隔より小さいのが望ましいが、これに限ることはなく、等しくてもよい。
【００１３】
請求項３に記載の発明によれば、下向吹出孔３０ｂが床下配管２５の周壁の下半分に周方向に一定間隔で、かつ軸方向に一定間隔で形成されているので、下向吹出孔３０ｂから吹出された暖気による熱をコンクリートスラブ２０に均一に蓄熱できる。また、上向吹出孔３０ａが床下配管２５の周壁の上半分に周方向に一定間隔で、かつ軸方向に一定間隔で形成されているので、上向吹出孔３０ａから吹出される暖気によって床下１７や床１６の下面を均一に暖めることができる。
【００１４】
請求項４に記載の発明は、請求項３に記載の床下暖房システムにおいて、
前記床下配管２５に、その軸方向に等ピッチの位置における第１横断面において、前記床下配管２５の周壁の最下部に前記下向吹出孔３０ｂが形成され、この下向吹出孔３０ｂから周方向両側の１２０度の位置にそれぞれ前記上向吹出孔３０ａ，３０ａが形成されるとともに、
隣り合う前記第１横断面間の中央に位置する第２横断面において、前記床下配管２５の最下部から周方向両側の６０度の位置にそれぞれ前記下向吹出孔３０ｂ，３０ｂが形成されていることを特徴とする。
【００１５】
請求項４に記載の発明によれば、床下配管２５の周壁の下半分に下向吹出孔３０ｂが均一に配置されるので、下向吹出孔３０ｂから吹出された暖気による熱をコンクリートスラブ２０により均一に蓄熱できる。
また、床下配管２５の周壁の上半分に上向吹出孔３０ａが均一に配置されるので、上向吹出孔３０ａから吹出される暖気によって床下１７や床１６の下面をより均一に暖めることができる。
【００１６】
請求項５に記載の発明は、請求項１〜４のいずれか一項に記載の床下暖房システムにおいて、
前記床下配管２５は、１階のリビングダイニング１５の床下１７に設けられていることを特徴とする。
【００１７】
請求項５に記載の発明によれば、１階のリビングダイニング１５を効果的に床暖房できる。
【発明の効果】
【００１８】
本発明によれば、下向吹出孔から吹出された暖気による熱を蓄熱容量の大きいコンクリートスラブに十分に蓄熱できるとともに、上向吹出孔から吹出される暖気によって床下や床の下面を直接暖めることができるので、床下の温度上昇速度が速くなって、床暖房の効きが速くなる。
【図面の簡単な説明】
【００１９】
【図１】本発明に係る床下暖房システムの一例を示すもので、この床下暖房システムを備えた建物の要部を示す側断面図である。
【図２】同、床下暖房システムの概略構成を示す図である。
【図３】同、太陽電池モジュールを備えた屋根を示すもので、棟と平行な鉛直面で切断した要部断面図である。
【図４】同、太陽電池モジュールを備えた屋根を示すもので、棟と直交する鉛直面で切断した要部断面図である。
【図５】同、（ａ）は建物の平面図、（ｂ）は床下配管が設けられた床下を示す平面図である。
【図６】同、設置金具によって床下配管を支持した状態を示す横断面図である。
【図７】同、床下配管を示すもので、（ａ）床下配管の側面図、（ｂ）は（ａ）におけるＡ−Ａ線断面図、（ｃ）は（ａ）におけるＢ−Ｂ線断面図である。
【発明を実施するための形態】
【００２０】
以下、図面を参照して本発明の実施の形態について説明する。
図１は本発明に係る床下暖房システムを備えた建物の要部を示す側断面図、図２は太陽光発電集熱システムの概略構成を示す図である。
図１に示すように、建物１は、基礎２上に構築された建物本体３と、この建物本体３上に設けられた屋根４とを備えたものである。屋根４は、複数の屋根パネルを建物本体３上に敷設してなるものである。なお、屋根パネルは框材を矩形枠状に組み立てるとともに、この矩形枠の内部に補強用の桟材を縦横に組み付け、さらに矩形枠の上面に合板等の面材を取り付けてなるものである。また、面材の裏面には集熱効率を高めるために断熱材が設けられている。
【００２１】
前記屋根４の屋根面４ａには、複数のシースルー型太陽電池モジュール５が屋根面４ａとの間に空気流通層Ｓを介在させた状態で設けられている。なお、シースルー型太陽電池モジュール５に代えて、通常の不透明なタイプの太陽電池モジュールを設けてもよい。
シースルー型太陽電池モジュール５は、矩形薄板状をなすものであり、単結晶シリコンのＰＶセルを強化ガラス（上面）と透明バックシート（下面）との間に、EVA樹脂を使って封入したものであり、ＰＶセルとＰＶセルとの間に照射された太陽光が透明バックシートを透過することによって、屋根面４ａに吸収される日射量を確保するようになっている。
【００２２】
図３に示すように、前記シースルー型太陽電池モジュール５（以下、太陽電池モジュール５と略称する。）の周縁部には、該周縁部を囲む四角枠状のフレーム６が設けられている。
一方、屋根面４ａには支持レール７が固定されており、この支持レール７に前記フレーム６を取り付けることによって、太陽電池モジュール５が屋根面４ａとの間に空気流通層Ｓを介在させた状態で設けられている。
なお、太陽電池モジュール５は屋根４の傾斜方向に複数枚設置されるが、棟近傍には、太陽電池モジュール５に代えて、太陽電池モジュール５と同形状の透明ガラスモジュールが設置される。これによって、屋根面４ａの吸収日射量を増大させて空気流通層Ｓの空気温度上昇を図ることができる。なお、透明ガラスモジュールの納まりは、太陽電池モジュール５と同様である。
【００２３】
空気流通層Ｓは、図４に示すように、太陽電池モジュール５の軒先側に取り付けられた面戸４ｂの隙間４ｃと、屋根面４ａの棟側に形成されて屋根裏に通じる開口部４ｄとに連通している。また、開口部４ｄには、管状の空気流通路１０が接続されている。
ここで、空気流通路１０を屋根面４ａの棟側に形成された開口部４ｄ接続したのは、空気流通層Ｓ内で加熱された空気を屋根４の棟側からそのまま空気流通路１０に吸い込むことができるためである。つまり、軒先側から取り込んだ空気は棟側に上昇するに伴い加熱され温度が上昇するので、空気流通路１０を棟側に設けた方が軒先側に設ける場合よりも集熱率が高くなるため好ましい。
【００２４】
図２に示すように、前記空気流通路１０は、ダクト１０ａ、１０ｂ，１０ｃ、チャンバー１０ｄ、ファンを有するファンユニット１０ｅを備えている。
ダクト１０ａは、一端部が前記屋根面４ａに形成された開口部４ｄに接続され、他端部が前記チャンバー１０ｄに接続されたものである。開口部４ｄは屋根の棟方向に沿って複数設けられており、各開口部４ｄにそれぞれダクト１０ａが接続されている。
チャンバー１０ｄは、屋根の棟方向に長尺な筒状のものであり、その一方の端部は建物本体３の妻壁に設けられた換気ガラリに接続されており、他方の端面にダクト１０ｂが接続されている。さらにチャンバー１０ｄの外周部に前記複数のダクト１０ａが軸方向に所定間隔で接続されている。
ダクト１０ｂは、一端部が前記チャンバー１０ｄの端面に接続され、他端部が前記ファンユニット１０ｅに接続されたものである。ファンユニット１０ｅは複数あり、各ファンユニット１０ｅにそれぞれダクト１０ｂが接続されている。
ダクト１０ｃは、その一端部がファンユニット１０ｅに接続されたうえで、建物内に床や壁を貫通して導入されている。
そして、空気流通層Ｓ内の加熱された空気は、ファンユニット１０ｅのファンによって、空気流通層Ｓから吸い込まれ、ダクト１０ａ、チャンバー１０ｄ、ダクト１０ｂ、ダクト１０ｃを流通するようになっている。
【００２５】
また、前記チャンバー１０ｄ内には、このチャンバー１０ｄとダクト１０ｂとの接続部を開閉する図示しない第１電動ダンパと、チャンバー１０ｄの一方の端部を開閉する図示しない第２電動ダンパとが設けられており、夏季の日中は第１電動ダンパを閉じるとともに、第２電動ダンパを開けることによって、空気流通層Ｓ内の加熱された空気を妻壁の換気ガラリから自然排気できるようになっている。
第１および第２電動ダンパは、図示しないコントローラに接続され、このコントローラに、前記透明ガラスモジュールの近傍の空気流通層Ｓに設置された図示しない温度センサに接続されている。
そして、第１および第２電動ダンパは、空気流通層Ｓの温度変化に伴って、前記コントローラによって自動的に開閉されるようになっている。例えば、夏季の日中は、第１電動ダンパを閉じるとともに、第２電動ダンパを開けることによって、空気流通層Ｓ内の加熱された空気を妻壁の換気ガラリから自然排気し、一方、冬季の日中は、第１電動ダンパを開けるとともに、第２電動ダンパを閉じることによって、空気流通層Ｓで加熱された空気を、ダクト１０ａ、チャンバー１０ｄ、ダクト１０ｂ、ダクト１０ｃを流通させ、後述するコンクリートスラブ２０に蓄熱させることができる。
なお、ダクト１０ｃには、熱交換ユニット１１が接続されており、この熱交換ユニット１１にダクト１１ａ，１１ｂが接続されている。ダクト１１ａ，１１ｂは建物の部屋に開口しており、当該部屋内の冷たい空気はダクト１１ａにそれに設けられたファンによって引き込まれ、熱交換ユニット１１において、ダクト１０ｃを流通する暖気と熱交換が行われて暖められ、この暖められた空気がダクト１１ｂから部屋に吹出すようになっている。
【００２６】
図１および図５に示すように、前記ダクト１０ｃは、１階のリビングダイニング１５を貫通し、さらに、１階床１６を貫通して、床下１７まで延出している。
ダクト１０ｃには、吹出口１０ｇが設けられている。この吹出口１０ｇはリビングダイニング１５に開口しており、この吹出口１０ｇから暖気（加熱された空気）をリビングダイニング１５に吹き出すようになっている。
【００２７】
また、床下１７の地盤上には、基礎２の床版を構成する基礎スラブ（コンクリートスラブ）２０が打設されており、この基礎スラブ２０の周縁部には立上部２１が基礎スラブ２０と一体的に打設されている。基礎スラブ２０の周縁部、つまり立上部２１には床下１７側を向く側面に断熱材（断熱層）２２が設けられている。断熱材２２は断面略Ｌ字形に形成されており、基礎スラブ２０の外周縁部から立上部２１の上端にかけて設けられている。
また、立上部２１には、排気孔１８が断熱材２２を貫通するようにして形成されており、この排気孔１８から床下１７の冷めた空気（床下暖房として利用されて冷めた空気）を外部または隣の床下に排気するようになっている。なお、この排気孔１８には外部からの空気の逆流を防止するための弁や必要に応じて排気用のファンを設けてもよい。
【００２８】
前記基礎スラブ２０上の前記床下１７に、床下配管２５が前記空気流通路１０のダクト１０ｃの下端部に接続されて設けられている。また、床下配管２５は、前記１階のリビングダイニング１５の床下１７に設けられている。
床下配管２５は図５（ｂ）に示すように、リビングダイニング１５の床下１７全体に水平に配置されている。本実施の形態では、床下配管２５は、床下１７の左右または前後の略半分側において平面視において蛇行して配置された床下配管２５ａと、床下１７の残りの半分側に、前記床下配管２５ａと隣り合って蛇行して配置された床下配管２５ｂとの２系統で構成されている。なお、床下配管２５は、２系統に限らず、１系統または３系統以上であってもよい。図２に示すように、空気流通路１０は２本のダクト１０ｃ，１０ｃを有しているので、一方のダクト１０ｃの下端部が床下配管２５ａに接続され、他方のダクト１０ｃの下端部が床下配管２５ｂに接続されている。なお、床下配管２５ａ,２５ｂをダクト１０ｃ,１０ｃに接続する場合、床下配管２５ａ,２５ｂの一方の端部にダクト１０ｃ,１０ｃを接続してもよいし、床下配管２５ａ,２５ｂの両端部間の任意の箇所に接続してもよい。
また、床下配管２５ａ,２５ｂの端部にはエンドキャップ２５ｄが設けられており、これによって、暖気は後述する吹出孔３０ａ,３０ｂから吹出されるようになっている。なお、床下配管２５ａ,２５ｂの一方の端部にダクト１０ｃ,１０ｃを接続した場合、エンドキャップ２５ｄは床下配管２５ａ,２５ｂの他端部に設け、床下配管２５ａ,２５ｂの両端部間の任意の箇所にダクト１０ｃ,１０ｃを接続した場合、エンドキャップ２５ｄは床下配管２５ａ,２５ｂの両端部に設ける。
【００２９】
また、床下配管２５（２５ａ，２５ｂ）は、基礎スラブ２０の表面から、所定距離（例えば５０ｍｍ程度）離間して上方に配置されている。
例えば、図５（ｂ）および図６に示すように、基礎スラブ２０の表面に、設置金具２７を床下配管２５の長手方向に所定間隔で複数設置しておき、この設置金具２７によって床下配管２５が基礎スラブ２０の表面から上方に離間して設置されている。
設置金具２７は基礎スラブ２０の表面に設置固定される基板２７ａと、この基板２７ａの両端部に立設されたボルト２７ｂ，２７ｂと、このボルト２７ｂ，２７ｂに支持された上下一対の支持部材２７ｃ，２７ｃとナット２７ｄ・・・を備えている。
支持部材２７ｃ，２７ｃは中央部に半円弧状の挟持部を有しており、対向する挟持部によって床下配管２５を上下から挟み付けたうえで、両端部にボルト２７ｂ，２７ｂを挿通し、当該両端部を上下からナット２７ｄ，２７ｄによって締め付けることによって、床下配管２５を基礎スラブ２０の表面から上方に離間した位置で支持するようになっている。
【００３０】
床下配管２５は、図７に示すように、円筒状の塩ビ管で形成されたものであり、その外周部には、当該床下配管２５内を流通する空気（暖気）を上向きに吹出す上向吹出孔３０ａと下向きに吹出す下向吹出孔３０ｂとがそれぞれ複数形成されている。
下向吹出孔３０ｂと上向吹出孔３０ａは、それぞれ円形状の貫通孔であり、直径は等しくなっている。したがって、下向吹出孔３０ｂと上向吹出孔３０ａとは流路断面積が等しくなっている。
そして、床下配管２５の周壁の下半分に複数の下向吹出孔３０ｂが均一に形成され、床下配管２５の周壁の上半分に複数の上向吹出孔３０ａが、床下配管２５の単位長さ当たり、下向吹出孔３０ｂの数より少なくして、均一に形成されている。これによって、床下配管２５の単位長さ当たり、複数の下向吹出孔３０ｂの合計流路断面積が、複数の上向吹出孔３０ａの合計流路断面積より大きくなっている。また、床下配管２５の単位長さ当たりの上向吹出孔３０ａと下向吹出孔３０ｂの個数は、２：３となっている。
【００３１】
具体的には、上向吹出孔３０ａと下向吹出孔３０ｂとは以下のようにして床下配管２５に配置されている。
すなわちまず、上向吹出孔３０ａは、図７（ａ）に示すように、床下配管２５の周壁の上半分に、軸方向において一定ピッチＰで配置され、かつ、周方向に一定間隔で配置されている。上向吹出孔３０ａの位置での横断面、つまり前記一定ピッチＰごとの横断面を第１横断面（Ｂ−Ｂ断面）とすると、図７（ｃ）に示すように、この第１横断面において、床下配管２５の周壁の最下部の位置（下向吹出孔３０ｂの位置）から周方向両側の１２０度の位置にそれぞれ上向吹出孔３０ａ，３０ａが配置されている。つまり、周方向に隣り合う上向吹出孔３０ａ，３０ａは、床下配管２５の最上部から左右に６０度の位置に配置されている。このように、上向吹出孔３０ａは、床下配管の周壁の上半分に周方向に一定間隔（１２０度）で、かつ、床下配管２５の軸方向に一定ピッチＰで、配置されている。
【００３２】
一方、下向吹出孔３０ｂは、図７（ａ）、（ｃ）に示すように、床下配管２５の周壁の最下部において、当該床下配管２５の軸方向に一定ピッチＰで配置されている。この床下配管２５の周壁の最下部における下向吹出孔３０ｂの床下配管２５の軸方向における位置は、前記上向吹出孔３０ａの位置と同位置である。
また、図７（ｂ）に示すように、隣り合う第１横断面間の中央に位置する第２横断面（Ａ−Ａ断面）において、床下配管２５の最下部から周方向両側の６０度の位置にそれぞれ下向吹出孔３０ｂ，３０ｂが配置されている。これら下向吹出孔３０ｂは、図７（ａ）に示すように、床下配管２５の軸方向において一定ピッチＰで配置されており、その軸方向の位置は、軸方向に隣り合う前記上向吹出孔３０ａ，３０ａ間の中央部である。したがって、床下配管２５に形成された下向吹出孔３０ｂは、床下配管２５の周壁の下半分に周方向に一定間隔（６０度）で、かつ、床下配管２５の軸方向に一定ピッチＰ／２で、配置されている。
【００３３】
このように、本実施の形態では、下向吹出孔３０ｂは、床下配管２５の周壁の下半分に周方向に一定間隔（６０度）で、かつ軸方向に一定間隔（１／２ピッチＰ）で形成され、上向吹出孔３０ａは、床下配管２５の周壁の上半分に周方向に一定間隔（１２０度）で、かつ軸方向に一定間隔（一定ピッチＰ）で形成されている。
さらに、床下配管２５に、その軸方向に等ピッチの位置における第１横断面（Ｂ−Ｂ断面）において、床下配管２５の周壁の最下部に下向吹出孔３０ｂが形成され、この下向吹出孔３０ｂから周方向両側の１２０度の位置にそれぞれ上向吹出孔３０ａ，３０ａが形成されるとともに、隣り合う第１横断面間の中央に位置する第２横断面（Ａ−Ａ断面）において、床下配管２５の最下部から周方向両側の６０度の位置にそれぞれ下向吹出孔３０ｂ，３０ｂが形成されている。
【００３４】
また、床下配管２５の他端部には、接続用の大径部２５ｃが形成されており、この大径部２５ｃの根元の内径が、床下配管２５の一端部の外径とほぼ等しくなっている。したがって、床下配管２５，２５を接続する場合、一方の床下配管２５の大径部２５ｃに他方の床下配管２５の一端部を差し込むことによって行える。また、床下配管２５を図５（ｂ）に示すように、蛇行させながら接続する場合、適宜の管継ぎ手を使用する。この場合、管継ぎ手にも、上記のような態様で上向吹出孔３０ａと下向吹出孔３０ｂを形成するのが望ましいが、必ずしも吹出孔は形成しなくてもよい。
【００３５】
上記のような構成の床下暖房システムでは、冬季において、空気流通層Ｓ内の加熱された空気は、ファンユニット１０ｅのファンによって、空気流通層Ｓから吸い込まれ、ダクト１０ａ、チャンバー１０ｄ、ダクト１０ｂ、ダクト１０ｃを流通して、床下配管２５に流入し、この床下配管２５に形成された上向吹出孔３０ａから床下１７や床２６の下面に向けて吹出すとともに、下向吹出孔３０ｂから基礎スラブ２０に向けて吹出す。
そして、上向吹出孔３０ａから吹出された暖気は、直接、床下１７や床１６の下面を暖めるので、リビングダイニング１５の床暖房としの効きが速くなる。なお、床下暖房として利用され、床下１７で冷めた空気は排出孔１８から外部に排出される。
一方、下向吹出孔３０ｂから吹出された暖気の熱は基礎スラブ２０に蓄熱され、日没後等の床暖房として有効に機能する。
【００３６】
本実施の形態によれば、基礎スラブ２０上の床下１７に設けられた床下配管２５に、上向吹出孔３０ａと下向吹出孔３０ｂとがそれぞれ複数形成され、複数の下向吹出孔３０ｂの合計流路断面積が、複数の上向吹出孔３０ａの合計流路断面積より大きいので、下向吹出孔３０ｂから吹出された暖気による熱を蓄熱容量の大きい基礎スラブ２０に十分に蓄熱できる。
また、上向吹出孔３０ａから吹出される暖気によって床下１７や床１６の下面を直接暖めることができるので、床下１７および床１６の温度上昇速度が速くなって、床暖房の効きが速くなる。
【００３７】
さらに、床下配管２５の周壁の下半分に複数の下向吹出孔３０ｂが形成されているので、これら下向吹出孔３０ｂから基礎スラブ２０に向けて確実に暖気を吹き出すことができる。また、床下配管２５の周壁の上半分に複数の上向吹出孔３０ａが形成されているので、これら上向吹出孔３０ａから床下１７や床１６の下面に向けて確実に暖気を吹出すことができる。
また、基礎スラブ２０に向けての暖気の吹出し量を、床下１７や床１６の下面に向けての暖気の吹出し量より少なくすることが容易である。
【００３８】
また、下向吹出孔３０ｂが床下配管２５の周壁の下半分に周方向に一定間隔で、かつ軸方向に一定間隔で形成されているので、下向吹出孔３０ｂから吹出された暖気による熱を基礎スラブ２０に均一に蓄熱できる。また、上向吹出孔３０ａが床下配管２５の周壁の上半分に周方向に一定間隔で、かつ軸方向に一定間隔で形成されているので、上向吹出孔３０ａから吹出される暖気によって床下１７や床１６の下面を均一に暖めることができる。
【００３９】
なお、本実施の形態では、床下配管２５を断面円筒状の塩ビ管で構成したが、断面四角形状あるいは多角形状の角筒状の塩ビ管で構成してもよく、また、上向吹出孔３０ａや下向吹出孔３０ｂの形状は円形以外でもよい。この場合でも、複数の下向吹出孔の合計流路断面積を、複数の上向吹出孔の合計流路断面積より大きくする必要があり、また、これら上向吹出孔と下向吹出孔は、それぞれ床下配管の上半分の周壁と下半分の周壁に均等に配置するのが望ましい。
【符号の説明】
【００４０】
１  建物
４  屋根
４ａ  屋根面
５  太陽電池モジュール
１０  空気流通路
１５  リビングダイニング
１７  床下
２０  基礎スラブ（コンクリートスラブ）
２２  断熱層
２５  床下配管
３０ａ  上吹出孔
３０ｂ  下吹出孔
Ｓ  空気流通層
【図１】
0005921889.tif 000002
【図２】
0005921889.tif 000003
【図３】
0005921889.tif 000004
【図４】
0005921889.tif 000005
【図５】
0005921889.tif 000006
【図６】
0005921889.tif 000007
【図７】
0005921889.tif 000008